(57)【要約】【課題】冷蔵庫の表示部に料理情報を表示することによってユーザの利便性を向上させることができる技術を提供する。【解決手段】冷蔵庫は、正面部に設けられている表示部と、庫内に保存されている食材を撮像する撮像部と、前記撮像部によって撮像された食材を用いた料理を特定するアプリケーションがインストールされている制御部と、を備えており、前記制御部は、前記撮像部によって撮像された庫内に保存されている食材を用いた料理を前記アプリケーションによって特定し、特定した料理を表す料理情報を前記表示部に表示する。【選択図】図１
2020020512.tif 000002
【特許請求の範囲】
【請求項１】
冷蔵庫であって、
正面部に設けられている表示部と、
庫内に保存されている食材を撮像する撮像部と、
前記撮像部によって撮像された食材を用いた料理を特定するアプリケーションがインストールされている制御部と、を備えており、
前記制御部は、前記撮像部によって撮像された庫内に保存されている食材を用いた料理を前記アプリケーションによって特定し、特定した料理を表す料理情報を前記表示部に表示する、冷蔵庫。
【請求項２】
前記制御部は、インストールされている前記アプリケーションのメイン画面を前記表示部の全体に表示し、その後に、特定した料理を表す料理情報を前記表示部に表示する、請求項１に記載の冷蔵庫。
【請求項３】
前記制御部は、前記表示部に表示された料理情報から特定の料理情報を選択するユーザ操作を受け付けると、ユーザ操作によって選択された特定の料理情報で表される料理に用いられる複数の食材を前記アプリケーションによって特定し、特定した複数の食材のそれぞれを表す複数の食材情報を前記表示部に表示する、請求項１又は２に記載の冷蔵庫。
【請求項４】
前記制御部は、特定した複数の食材のそれぞれを表す複数の食材情報と、前記撮像部によって撮像された複数の食材のそれぞれの画像とを対応させて前記表示部に表示する、請求項３に記載の冷蔵庫。
【請求項５】
前記制御部は、ユーザ操作によって選択された特定の料理情報を日付と共に記憶する、請求項３又は４に記載の冷蔵庫。
【請求項６】
前記制御部は、前記撮像部によって撮像された食材を用いた料理を特定する複数の前記アプリケーションがインストールされている、請求項１から５のいずれか一項に記載の冷蔵庫。
【請求項７】
前記制御部は、前記撮像部によって撮像された庫内に保存されている食材を用いた複数の料理を複数の前記アプリケーションによって特定し、特定した複数の料理のそれぞれを表す料理情報を複数の前記アプリケーションのそれぞれと対応させて前記表示部に表示する、請求項６に記載の冷蔵庫。
【請求項８】
前記制御部は、インストールされている複数の前記アプリケーションのメイン画面を前記表示部に順に表示する、請求項６又は７に記載の冷蔵庫。
【請求項９】
前記制御部は、特定した複数の料理のそれぞれを表す料理情報を前記冷蔵庫と通信可能な携帯端末装置に送信する、請求項１から８のいずれか一項に記載の冷蔵庫。
【請求項１０】
前記制御部は、庫内の空き状況を表す空き状況情報を前記表示部に表示する、請求項１から９のいずれか一項に記載の冷蔵庫。
【発明の詳細な説明】
【技術分野】
【０００１】
本明細書に開示する技術は、冷蔵庫に関する。
【背景技術】
【０００２】
特許文献１には、表示部を備えている冷蔵庫が開示されている。冷蔵庫の表示部には例えば飲食物に関する広告が表示される。
【先行技術文献】
【特許文献】
【０００３】
【特許文献１】特開２０１７−２１１１６８号公報
【発明の概要】
【発明が解決しようとする課題】
【０００４】
冷蔵庫の庫内には様々な食材が保存されており、冷蔵庫のユーザが庫内に保存されている食材を用いて料理をすることがある。本明細書は、冷蔵庫の表示部に料理情報を表示することによってユーザの利便性を向上させることができる技術を提供する。
【課題を解決するための手段】
【０００５】
本明細書に開示する冷蔵庫は、正面部に設けられている表示部と、庫内に保存されている食材を撮像する撮像部と、前記撮像部によって撮像された食材を用いた料理を特定するアプリケーションがインストールされている制御部と、を備えており、前記制御部は、前記撮像部によって撮像された庫内に保存されている食材を用いた料理を前記アプリケーションによって特定し、特定した料理を表す料理情報を前記表示部に表示する。
【図面の簡単な説明】
【０００６】
【図１】実施例に係る冷蔵庫の正面図である。
【図２】実施例に係る冷蔵庫のブロック図である。
【図３】メモリに記憶されている情報の一例を示す図である。
【図４】食材情報表示処理のフローチャートである。
【図５】第１選択画面の一例を示す図である。
【図６】第２選択画面の一例を示す図である。
【図７】アプリケーションのメイン画面の一例を示す図である。
【図８】アプリケーションのメイン画面の他の一例を示す図である。
【図９】料理情報の表示画面の一例を示す図である。
【図１０】料理情報の表示画面の他の一例を示す図である。
【図１１】食材情報の表示画面の一例を示す図である。
【図１２】冷蔵庫内の空き状況情報の表示画面の一例を示す図である。
【発明を実施するための形態】
【０００７】
実施例に係る冷蔵庫１について図面を参照して説明する。図１に示すように、実施例に係る冷蔵庫１は、本体２と、複数の扉１２とを備えている。また、図１及び図２に示すように、冷蔵庫１は、表示部３５と、操作部３６と、撮像部３７と、制御部３１とを備えている。この冷蔵庫１は、インターネット１５０を通じて携帯端末装置１００及びサーバ２００に通信可能に接続されている。
【０００８】
冷蔵庫１の本体２は、複数の収容室を備えている。例えば、本体２は、冷蔵室２１、冷凍室２２、及び野菜室２３を備えている。本体２は、各収容室（冷蔵室２１、冷凍室２２、野菜室２３）に収容されている食材（例えば、にんじん、じゃがいも等）を冷却する。
【０００９】
冷蔵庫１の複数の扉１２は、本体２の正面部に取り付けられている。各扉１２は、本体２の各収容室に対して開閉可能に構成されている。複数の扉１２は、例えば、冷蔵室２１の扉１２１、冷凍室２２の扉１２２、野菜室２３の扉１２３等である。
【００１０】
冷蔵庫１の表示部３５は、冷蔵室２１の扉１２１の正面部に設けられている。表示部３５は、例えば液晶パネルを備えている。表示部３５は、冷蔵庫１の各機能や各動作に関する情報を表示する。また、冷蔵庫１の操作部３６は、冷蔵庫１の各機能を実行するための複数のボタンを備えている。操作部３６は、冷蔵庫１に関するユーザ操作を受け付ける。ユーザが操作部３６のボタンを操作すると、操作されたボタンに従った信号が操作部３６から制御部３１に送信される。冷蔵庫１の表示部３５と操作部３６とは、タッチパネルとして一体に構成されていている。なお、表示部３５と操作部３６とは、別体に構成されていてもよい。
【００１１】
冷蔵庫１の撮像部３７は、冷蔵庫１の庫内に設けられている。撮像部３７は、冷蔵庫１の庫内を撮像することができる。撮像部３７は、冷蔵庫１の庫内に保存されている複数の食材のそれぞれを撮像する。撮像部３７は、庫内に保存されている食材の現在の状態を撮像する。例えば、冷蔵庫１の庫内ににんじんが半分の状態で保存されている場合は、撮像部３７は、半分の状態のにんじんを撮像する。撮像部３７が撮像した食材の写真画像は、制御部３１のメモリ３３に記憶される。
【００１２】
冷蔵庫１の制御部３１は、ＣＰＵ３２と、メモリ３３と、ＲＴＣ３４とを備えている。ＣＰＵ３２は、メモリ３３に記憶されているプログラムに従って様々な処理を実行する。メモリ３３は、例えばＲＯＭとＲＡＭ（図示省略）を備えている。ＲＴＣ３４は、時計としての機能を有しており、時刻を計ることができる。
【００１３】
制御部３１のメモリ３３には、図３に示すように、複数の写真画像が記憶されている。メモリ３３に記憶されている写真画像は、冷蔵庫１の撮像部３７が撮像した食材の写真画像である。すなわち、写真画像は、冷蔵庫１の庫内に保存されている食材の写真画像である。写真画像は、例えば、にんじんの写真、じゃがいもの写真、又は、たまねぎの写真等である。制御部３１は、メモリ３３に記憶されている写真画像に基づいて、冷蔵庫１の庫内に保存されている食材を認識することができる。例えば、制御部３１は、メモリ３３に記憶されているにんじんの写真画像に基づいて、冷蔵庫１の庫内ににんじんが保存されていると認識することができる。
【００１４】
また、冷蔵庫１の制御部３１には、複数のアプリケーション（以下「アプリ」という）がインストールされている。例えば、制御部３１に４つのアプリ（アプリ１、２、３、及び４）がインストールされている。４つのアプリが制御部３１のメモリ３３に記憶されている。制御部３１にインストールされているアプリは、メモリ３３に記憶されている食材の写真画像（すなわち、撮像部３７によって撮像された食材の写真画像）に基づいて、料理を検索することができるソフトウェアである。制御部３１は、アプリによって料理を検索し、メモリ３３に記憶されている写真画像によって表される食材を用いた料理を特定する。制御部３１は、例えばアプリ１によって、にんじんの写真画像に基づいて、にんじんを用いたカレーの料理を特定する。なお、制御部３１が実行する情報処理については後述する。
【００１５】
冷蔵庫１と通信可能に接続されている携帯端末装置１００は、表示部１０２と、操作部１０３と、制御部１０１とを備えている。携帯端末装置１００は、例えばスマートフォンやタブレットである。
【００１６】
携帯端末装置１００の表示部１０２は、例えば液晶パネルを備えている。表示部１０２は、携帯端末装置１００及び冷蔵庫１の各機能や各動作に関する情報を表示する。また、操作部１０３は、携帯端末装置１００及び冷蔵庫１の各機能を実行するための複数のボタンを備えている。操作部１０３は、携帯端末装置１００及び冷蔵庫１に関するユーザ操作を受け付ける。ユーザが操作部１０３のボタンを操作すると、操作されたボタンに従った信号が操作部１０３から制御部１０１に送信される。携帯端末装置１００の表示部１０２と操作部１０３とは、タッチパネルとして一体に構成されていている。なお、表示部１０２と操作部１０３とは、別体に構成されていてもよい。
【００１７】
携帯端末装置１００の制御部１０１は、例えばＣＰＵとメモリを備えている（図示省略）。ＣＰＵは、メモリに記憶されているプログラムに従って様々な処理を実行する。メモリは、例えばＲＯＭとＲＡＭ（図示省略）を備えている。
【００１８】
冷蔵庫１と通信可能に接続されているサーバ２００は、制御部２０１を備えている。サーバ２００の制御部２０１例えばＣＰＵとメモリを備えている（図示省略）。ＣＰＵは、メモリに記憶されているプログラムに従って様々な処理を実行する。メモリは、例えばＲＯＭとＲＡＭ（図示省略）を備えている。サーバ２００は、例えば、冷蔵庫１の制御部３１にインストールされるアプリをインターネット１５０を通じて提供する。
【００１９】
次に、実施例に係る冷蔵庫１で実行される食材情報表示処理（図４参照）について説明する。食材情報表示処理は、例えば、冷蔵庫１の表示部３５がユーザによってタッチされると開始される。図４に示すように、食材情報表示処理のＳ１０では、冷蔵庫１の制御部３１が、ホームボタンＢ０を表示部３５に表示する。制御部３１は、図５に示すように、表示部３５の下部にホームボタンＢ０を表示する。ホームボタンＢ０は、図４に示すＳ１０以降の処理が実行されても常に表示部３５に表示される。
【００２０】
図４に示すように、Ｓ１０に続くＳ１１では、制御部３１が、第１選択画面Ｓ１を表示部３５に表示する。制御部３１は、図５に示すように、表示部３５に表示されているホームボタンＢ０の上に第１選択画面Ｓ１を表示する。制御部３１は、ホームボタンＢ０が隠れないように第１選択画面Ｓ１を表示する。第１選択画面Ｓ１は、冷蔵庫１で実行可能な機能を選択するユーザ操作を受け付けるための画面である。第１選択画面Ｓ１には、例えば、冷蔵室２１の温度調整ボタンＢ２、レシピボタンＢ１等が表示される。例えば温度調整ボタンＢ２がユーザによってタッチされると、制御部３１が、冷蔵室２１の温度を調整する。
【００２１】
図４に示すように、Ｓ１１に続くＳ１２では、制御部３１が、第２選択画面Ｓ２を表示部３５に表示する。Ｓ１２の処理は、上記の第１選択画面Ｓ１のレシピボタンＢ１がユーザによってタッチされると実行される。制御部３１は、図６に示すように、表示部３５に表示されているホームボタンＢ０の上に第２選択画面Ｓ２を表示する。制御部３１は、ホームボタンＢ０が隠れないように第２選択画面Ｓ２を表示する。
【００２２】
第２選択画面Ｓ２は、冷蔵庫１で実行可能な機能を選択するユーザ操作を受け付けるための画面である。第２選択画面Ｓ２には、例えば、旬のレシピボタンＣ２、残り物から検索ボタンＣ１等が表示される。例えば旬のレシピボタンＣ２がユーザによってタッチされると、制御部３１が、インターネット１５０を通じてサーバ２００から旬のレシピをダウンロードして表示部３５に表示する。また、残り物から検索ボタンＣ１がユーザによってタッチされると、レシピの検索指示を表すユーザ操作が受け付けられる。
【００２３】
なお、表示部３５に第２選択画面Ｓ２が表示されている状態でホームボタンＢ０がタッチされると、制御部３１は、第２選択画面Ｓ２に代えて上述した第１選択画面Ｓ１を表示部３５に表示する。制御部３１は、後述する他の画面（例えば後述するアプリのメイン画面）が表示部３５に表示されているときにホームボタンＢ０がタッチされた場合も、他の画面（例えば後述するアプリのメイン画面）代えて上述した第１選択画面Ｓ１を表示部３５に表示する。
【００２４】
図４に示すように、Ｓ１２に続くＳ１３では、制御部３１が、ユーザ操作による検索指示を受け付けたか否かを判断する。検索指示を受け付けた場合は、Ｓ１２で制御部３１がＹＥＳと判断してＳ１４に進む。そうでない場合は、Ｓ１２で制御部３１がＮＯと判断して待機する。上記の第２選択画面Ｓ２において、レシピの検索指示を表すユーザ操作を受け付けた場合は、Ｓ１２で制御部３１がＹＥＳと判断する。
【００２５】
続くＳ１４では、制御部３１が、制御部３１にインストールされている複数のアプリのそれぞれのメイン画面Ｓ３を表示部３５に順に表示する。例えば、制御部３１は、図７に示すように、アプリ１のメイン画面Ｓ３ａを表示部３５に表示し、その後に、図８に示すように、アプリ２のメイン画面Ｓ３ｂを表示部３５に表示する。制御部３１は、アプリ１、アプリ２、アプリ３、アプリ４の順で、それぞれのメイン画面Ｓ３を表示部３５に表示する。制御部３１は、表示部３５の全体にわたって各アプリのメイン画面Ｓ３を表示する。制御部３１は、表示部３５に表示されているホームボタンＢ０の上に各アプリのメイン画面Ｓ３をポップアップで表示する。制御部３１は、ホームボタンＢ０が隠れないように各アプリのメイン画面Ｓ３を表示する。制御部３１は、各アプリのメイン画面Ｓ３を表示部３５に数秒間表示した後に、そのメイン画面Ｓ３が消えるようにする。
【００２６】
続くＳ１５では、制御部３１が、制御部３１にインストールされている複数のアプリによって料理を検索する。制御部３１は、複数のアプリによって、冷蔵庫１の庫内に保存されている食材を用いた料理を検索する。制御部３１は、アプリによってサーバ２００から料理を検索してもよい。制御部３１は、メモリ３３に記憶されている食材の写真画像（すなわち、撮像部３７によって撮像された食材の写真画像）に基づいて、冷蔵庫１の庫内に保存されている食材を認識することができる。したがって、制御部３１は、メモリ３３に記憶されている食材の写真画像に基づいて、その食材を用いた料理を検索する。
【００２７】
例えば、制御部３１は、メモリ３３に記憶されているにんじんの写真画像に基づいて、にんじんを用いた料理を検索する。その他にも制御部３１は、メモリ３３に記憶されているじゃがいも、たまねぎ等の写真画像に基づいて、じゃがいも、たまねぎ等を用いた料理を検索する。制御部３１は、アプリ１、２、３、及び４によって料理を検索する。例えば、制御部３１は、アプリ１によってじゃがいもを用いた料理を検索し、検索結果としてカレーを特定する。また、制御部３１は、アプリ２によってじゃがいもを用いた料理を検索し、検索結果としてマッシュポテトを特定する。制御部３１は、アプリ１、２、３、及び４に基づいて複数の料理を特定する。このようにして制御部３１は、冷蔵庫１の庫内に保存されている食材を用いた料理を特定する。
【００２８】
続くＳ１６では、制御部３１が、上記のＳ１５で検索結果として特定した料理を表す料理情報を表示部３５に表示する。制御部３１は、上記のＳ１５で特定した料理を表す料理情報と、その料理を特定したアプリとを対応させて表示部３５に表示する。例えば、制御部３１は、アプリ１によってカレーを特定した場合は、図９に示すように、アプリ１とカレーとを対応させて表示部３５に表示する。制御部３１は、アプリ２によってマッシュポテトを特定した場合は、アプリ２とマッシュポテトとを対応させて表示部３５に表示する。制御部３１は、複数のアプリと、各アプリによって特定した料理を表す料理情報とを対応させて表示部３５に並べて表示する。制御部３１は、１つのアプリによって複数の料理を特定した場合は、そのアプリと、そのアプリによって特定した複数の料理の料理情報とを対応させて表示部３５に表示する。
【００２９】
また、Ｓ１６では、制御部３１が、図９に示すように、複数のチェックボックスＤを表示部３５に表示する。制御部３１は、チェックボックスＤと料理情報とを対応させて表示部３５に表示する。制御部３１は、表示部３５に表示した複数の料理情報のそれぞれについてチェックボックスＤを表示する。制御部３１は、料理情報の隣にチェックボックスＤを表示する。チェックボックスＤは、料理情報を選択するユーザ操作を受け付けるためのボタンである。
【００３０】
冷蔵庫１のユーザは、図１０に示すように、表示部３５に表示されたチェックボックスＤをタッチすることによって、表示部３５に表示された複数の料理情報から任意の料理情報を選択することができる。冷蔵庫１のユーザは、複数の料理情報から好みの料理情報を選択することができる。例えば、冷蔵庫１のユーザは、カレーを作りたい場合は、カレーの料理情報に対応するチェックボックスＤをタッチする。また、冷蔵庫１のユーザは、親子丼を作りたい場合は、親子丼の料理情報に対応するチェックボックスＤをタッチする。チェックボックスＤがユーザによってタッチされると、チェックボックスＤにチェックが入る。チェックが入ったチェックボックスＤに対応する料理情報が選択される。このように、料理情報を選択するユーザ操作によって、特定の料理情報が選択される。
【００３１】
図４に示すように、Ｓ１６に続くＳ１７では、制御部３１が、料理情報の選択を受け付けたか否かを判断する。料理情報の選択を受け付けた場合は、Ｓ１７で制御部３１がＹＥＳと判断してＳ１８に進む。そうでない場合は、Ｓ１７で制御部３１がＮＯと判断して待機する。上述したように、冷蔵庫１の表示部３５に表示された複数の料理情報から特定の料理情報（例えば親子丼の料理情報）を選択するユーザ操作を受け付けた場合は、Ｓ１７で制御部３１がＹＥＳと判断する。
【００３２】
続くＳ１８では、制御部３１が、上述したユーザ操作によって選択された料理情報をメモリ３３に記憶する。制御部３１は、選択された料理情報を本日の日付（料理情報が選択された日の日付）と共にメモリ３３に記憶する。
【００３３】
続くＳ１９では、制御部３１が、上述したユーザ操作によって選択された料理情報によって表される料理に用いられる複数の食材を特定する。例えば、制御部３１は、カレーの料理情報が選択された場合は、カレーに用いられる複数の食材を特定する。制御部３１は、例えばカレーに用いられるにんじん、じゃがいも、たまねぎ等の食材を特定する。また、制御部３１は、例えば親子丼の料理情報が選択された場合は、親子丼に用いられる複数の食材を特定する。制御部３１は、例えば親子丼に用いられる鶏もも肉、卵、刻み海苔等の食材を特定する。ユーザ操作によって複数の料理情報が選択されている場合は、制御部３１は、複数の料理情報のそれぞれについて、料理に用いられる複数の食材を特定する。
【００３４】
続くＳ２０では、制御部３１が、上記のＳ１９で特定した複数の食材のそれぞれを表す複数の食材情報を表示部３５に表示する。例えば、制御部３１は、図１１に示すように、上記のＳ１９で特定したにんじん、じゃがいも、たまねぎ等の食材情報を表示部３５に表示する。また、制御部３１は、例えば上記のＳ１９で特定した鶏もも肉、卵、刻み海苔等の食材情報を表示部３５に表示する。
【００３５】
また、Ｓ２０では、制御部３１が、メモリ３３に記憶されている食材の写真画像（図３参照）を表示部３５に表示する。制御部３１は、上記のＳ１９で特定した食材の食材情報と、メモリ３３に記憶されている食材の写真画像とを対応させて表示部３５に表示する。例えば、制御部３１は、図１１に示すように、上記のＳ１９で特定したにんじんの食材情報と、メモリ３３に記憶されているにんじんの写真画像とを対応させて表示部３５に表示する。また、制御部３１は、例えば上記のＳ１９で特定した鶏もも肉の食材情報と、メモリ３３に記憶されている鶏もも肉の写真画像とを対応させて表示部３５に表示する。一方、写真画像がメモリ３３に記憶されていない食材については、制御部３１は、その食材の写真画像を表示部３５に表示しない。例えば、刻み海苔の写真画像は、メモリ３３に記憶されていないので（図３参照）、表示部３５に表示されない。また、上記のＳ１９で特定されていない食材の写真画像も表示部３５に表示されない。例えば、上記のＳ１９でサンマの食材は特定されていないので、サンマの写真画像は、メモリ３３に記憶されているとしても（図３参照）、表示部３５に表示されない。
【００３６】
また、Ｓ２０では、制御部３１は、食材情報と写真画像と共に、図１１に示すように、転送ボタンＣ４を表示部３５に表示する。転送ボタンＣ４は、冷蔵庫１から携帯端末装置１００に情報を転送することを指示するためのボタンである。転送ボタンＣ４がユーザによってタッチされると、転送指示を表すユーザ操作が受け付けられる。
【００３７】
図４に示すように、Ｓ２０に続くＳ２１では、制御部３１が、ユーザ操作による転送指示を受け付けたか否かを判断する。転送指示を受け付けた場合は、Ｓ２１で制御部３１がＹＥＳと判断してＳ２２に進む。そうでない場合は、Ｓ２１で制御部３１がＮＯと判断して待機する。
【００３８】
続くＳ２２では、制御部３１が、上記のＳ２０で表示部３５に表示した食材情報及び写真画像を携帯端末装置１００に転送する。
また、制御部３１が、上記のＳ１５で特定した料理情報（上記のＳ１６で表示部３５に表示した料理情報）を携帯端末装置１００に転送する。携帯端末装置１００の制御部１０１は、食材情報、写真画像、及び料理情報を受信すると、それらの情報を携帯端末装置１００の表示部１０２に表示する。Ｓ２２の処理が終了すると、食材情報表示処理が終了する。なお、上記のＳ２１で制御部３１が転送指示を受け付けていない場合であっても、表示部３５に表示されているホームボタンＢ０がユーザによってタッチされた場合は、食材情報表示処理が終了する。
【００３９】
以上、実施例に係る冷蔵庫１について説明した。上述した説明から明らかなように、冷蔵庫１は、撮像部３７によって撮像された食材を用いた料理を特定するアプリがインストールされている制御部３１を備えている。制御部３１は、撮像部３７によって撮像された庫内に保存されている食材を用いた料理をアプリによって特定し、特定した料理を表す料理情報を表示部３５に表示する（図４のＳ１５−Ｓ１６、図９参照）。この構成によれば、冷蔵庫１のユーザが表示部３５に表示された料理情報を参考にして料理をすることができるので、ユーザの利便性を向上させることができる。
【００４０】
また、上記の冷蔵庫１では、制御部３１が、複数の料理を複数のアプリによって特定し、特定した複数の料理のそれぞれを表す料理情報を複数のアプリのそれぞれと対応させて表示部３５に表示する。この構成によれば、複数のアプリによって多様な料理が特定される。そのため、冷蔵庫１のユーザが多様な料理情報を参考にすることができる。したがって、ユーザの利便性を向上させることができる。また、料理情報がアプリと対応して表示部３５に表示されるので、料理情報が見やすくなり、ユーザの利便性を向上させることができる。
【００４１】
また、上記の冷蔵庫１では、制御部３１が、アプリのメイン画面Ｓ３を表示部３５の全体に表示し、その後に、料理情報を表示部３５に表示する（図４のＳ１４−Ｓ１６、図７、８、９参照）。この構成によれば、アプリの広告効果を向上させることができる。また、上記の冷蔵庫１では、制御部３１が、複数のアプリのメイン画面Ｓ３を表示部３５に順に表示する（図７、８参照）。この構成によれば、各アプリのメイン画面Ｓ３が見やすくなり、アプリの広告効果を向上させることができる。
【００４２】
また、上記の冷蔵庫１では、制御部３１が、表示部３５に表示された料理情報から特定の料理情報を選択するユーザ操作を受け付けると、ユーザ操作によって選択された特定の料理情報で表される料理に用いられる複数の食材をアプリによって特定し、特定した複数の食材のそれぞれを表す複数の食材情報を表示部３５に表示する（図４のＳ１７−Ｓ２０、図１０、１１参照）。この構成によれば、ユーザ操作によって選択された料理に必要な食材を表す食材情報が表示部３５に表示される。そのため、冷蔵庫１のユーザが、表示部３５に表示された食材情報を参考にして料理や買い物をすることができる。これによって、ユーザの利便性を向上させることができる。また、上記の冷蔵庫１では、制御部３１が、ユーザ操作によって選択された料理情報を日付と共に記憶する（図４のＳ１７、Ｓ１８参照）。これによって、冷蔵庫１のユーザが、料理情報を選択した日付を後日に確認することができる。
【００４３】
また、上記の冷蔵庫１では、制御部３１が、撮像部３７によって撮像された複数の食材のそれぞれの写真画像と、複数の食材情報とを対応させて表示部３５に表示する（図４のＳ２０、図１１参照）。この構成によれば、料理に必要な食材の食材情報と、冷蔵庫１の庫内の食材の写真画像とが併せて表示部３５に表示される。冷蔵庫１のユーザは、表示部３５に表示され庫内の食材の写真画像を見ることによって、料理に必要な食材が庫内にどのぐらい残っているのかを確認することができる。これによって、食材の不足量を確認することができ、ユーザの利便性を向上させることができる。
【００４４】
また、上記の冷蔵庫１では、制御部３１が、冷蔵庫１と通信可能な携帯端末装置１００に料理情報を送信する（図４のＳ２１、Ｓ２２参照）。この構成によれば、冷蔵庫１と携帯端末装置１００で料理情報が共有されるので、冷蔵庫１のユーザが携帯端末装置１００でも料理情報を確認することができ、ユーザの利便性が向上する。
【００４５】
以上、一実施例について説明したが、具体的な態様は上記実施例に限定されるものではない。以下の説明において、上述の説明における構成と同様の構成については、同一の符号を付して説明を省略する。
【００４６】
他の実施例では、冷蔵庫１の制御部３１が、冷蔵庫１の庫内の空き状況を特定してもよい。例えば、制御部３１が、撮像部３７によって撮像された庫内の写真画像に基づいて、冷蔵室２１の空き状況を特定する。また、制御部３１が、図１２に示すように、特定した庫内の空き状況を表す空き状況情報を表示部３５に表示してもよい。制御部３１が、例えば冷蔵室２１の空き状況や冷凍室２２の空き状況を表す空き状況情報を表示部３５に表示してもよい。この構成によれば、冷蔵庫１の庫内の空き状況をユーザが確認することができる。そのため、ユーザが料理に必要な食材を買い足す際に、庫内の空き状況を参考にして買い足す量を判断することができる。
【００４７】
他の実施例では、冷蔵庫１の制御部３１が、例えば、本日のおすすめ料理、季節の料理特集、料理ランキング等の情報を表示部３５に表示してもよい。制御部３１は、アプリのメイン画面Ｓ３を表示部３５に表示する前に、これらの情報を表示してもよい。また、他の実施例では、冷蔵庫１のユーザの性別、年齢、体重、家族構成等の情報を操作部３６から入力可能であってもよい。また、他の実施例では、冷蔵庫１の制御部３１が、ユーザ操作によって選択された料理情報に関する動画を表示部３５に表示する構成であってもよい。また、制御部３１が、ユーザ操作によって選択された料理情報をお気に入りとして登録してもよい。また、制御部３１が、料理情報の閲覧履歴を表示部３５に表示してもよい。
【００４８】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００４９】
１：冷蔵庫、２：本体、１２：扉、２１：冷蔵室、２２：冷凍室、２３：野菜室、３１：制御部、３５：表示部、３６：操作部、３７：撮像部、１００：携帯端末装置、１５０：インターネット、２００：サーバ
【図１】
2020020512.tif 000003
【図２】
2020020512.tif 000004
【図３】
2020020512.tif 000005
【図４】
2020020512.tif 000006
【図５】
2020020512.tif 000007
【図６】
2020020512.tif 000008
【図７】
2020020512.tif 000009
【図８】
2020020512.tif 000010
【図９】
2020020512.tif 000011
【図１０】
2020020512.tif 000012
【図１１】
2020020512.tif 000013
【図１２】
2020020512.tif 000014